(57)【要約】      （修正有）【課題】ミシン目に沿って正確かつ容易に分離でき、しかも意図せず分離し難い中綴じ冊子を提供する。【解決手段】ノド１２に対して対称で且つ一方の小口１３から他方の小口１３に至るミシン目１４を略同一位置に有する複数の紙葉１１が、ノド１２のミシン目１４で区画された各部分で綴じられた中綴じ冊子１０である。ミシン目１４は、２ｍｍ以上３ｍｍ以下の切り目と０．５ｍｍ以上０．６ｍｍ以下の継ぎ目とからなる。紙葉１１のミシン目１４で区画される各部分には相互に関連する記事が掲載されており、読者は、それらを対比しつつ読むことができる。一方、中綴じ冊子１０をミシン目１４で分離した小冊子は、必要な記事のみが掲載されたコンパクトな小冊子であり携行に便利である。【選択図】図１
0003172860.tif 000002
【実用新案登録請求の範囲】
【請求項１】
ノドに対して対称で且つ一方の小口から他方の小口に至るミシン目を略同一位置に有する複数の紙葉が、前記ノドの前記ミシン目で区画された各部分で綴じられた中綴じ冊子であって、
前記ミシン目が、２ｍｍ以上３ｍｍ以下の切り目と０．５ｍｍ以上０．６ｍｍ以下の継ぎ目とからなることを特徴とする中綴じ冊子。
【請求項２】
紙葉のミシン目で区画される各部分に、相互関連する記事が印刷されてなることを特徴とする請求項１に記載の中綴じ冊子。
【請求項３】
各紙葉に、互いに交わらない複数の前記ミシン目を設けたことを特徴とする請求項１又は請求項２に記載の中綴じ冊子。
【請求項４】
紙葉の厚さが６４ｇ／ｍ２以上１２７．９ｇ／ｍ２以下であり、前記ミシン目が２ｍｍの切り目と０．６ｍｍの継ぎ目とからなることを特徴とする請求項１乃至請求項３の何れか１項に記載の中綴じ冊子。
【請求項５】
紙葉の厚さが１５７ｇ／ｍ２以上２０９．３ｇ／ｍ２以下であり、前記ミシン目が３ｍｍの切り目と０．５ｍｍの継ぎ目とからなることを特徴とする請求項１乃至請求項３の何れか１項に記載の中綴じ冊子。
【考案の詳細な説明】
【技術分野】
【０００１】
本考案は、中綴じ冊子に関する。
【背景技術】
【０００２】
本の一部を分離容易とするために、ミシン目を設けることがある。該ミシン目は、特定ページの一部に印刷された葉書，クーポン等を切り離し易くするためにそれらの周囲に設けられるのが通例であるが、ミシン目を各ページに設けて上下に分離可能とした中綴じ冊子が開示されている（例えば、特許文献１参照）。
【先行技術文献】
【特許文献】
【０００３】
【特許文献１】米国特許第５９１８９０５号
【考案の概要】
【考案が解決しようとする課題】
【０００４】
しかしながら、上記特許文献１には、適切なミシン目のピッチについては何ら開示されていない。ミシン目の強度が低過ぎると意図せず分離し易く、一方、ミシン目の強度が高過ぎると分離し辛く当該ミシン目以外の部分を誤って破断する原因ともなる。ミシン目の強度はそのピッチに大きく依存し、１枚の紙における両者の関係については経験的に多くの知見が得られているものの、該知見が複数の紙葉からなる中綴じ冊子に必ずしもそのまま適用できるとは限らない。
【０００５】
上記問題点に鑑み、本考案は、ミシン目の適切なピッチの範囲を定めることにより、意図せずし難く、ミシン目に沿って正確かつ容易に分離できる中綴じ冊子を提供することを課題とする。
【課題を解決するための手段】
【０００６】
上記課題を解決する第一の考案は、
ノドに対して対称で且つ一方の小口から他方の小口に至るミシン目を略同一位置に有する複数の紙葉が、前記ノドの前記ミシン目で区画された各部分で綴じられた中綴じ冊子であって、
前記ミシン目が、２ｍｍ以上３ｍｍ以下の切り目と０．５ｍｍ以上０．６ｍｍ以下の継ぎ目とからなる中綴じ冊子である。
【０００７】
第２の考案は、紙葉のミシン目で区画される各部分に、相互関連する記事が印刷されてなる、上記中綴じ冊子である。
【０００８】
第３の考案は、各紙葉が、互いに交わらない複数の前記ミシン目を有する、第１又は第２の考案の中綴じ冊子である。
【０００９】
第４の考案は、紙葉の厚さが６４ｇ／ｍ２以上１２７．９ｇ／ｍ２以下であり、前記ミシン目が２ｍｍの切り目と０．６ｍｍの継ぎ目とからなる、第１乃至第３の考案の何れかの中綴じ冊子である。
【００１０】
第５の考案は、紙葉の厚さが１５７ｇ／ｍ２以上２０９．３ｇ／ｍ２以下であり、前記ミシン目が３ｍｍの切り目と０．５ｍｍの継ぎ目とからなる、第１乃至第３の考案の何れかの中綴じ冊子である。
【考案の効果】
【００１１】
本考案の中綴じ冊子は、ミシン目で分離されると、携行に適した背の低い複数の小冊子となる。ノドのミシン目で区画された各部分がそれぞれ綴じられているから、前記小冊子は、何れも中綴じされた状態で得られる。２ｍｍ以上３ｍｍ以下の切り目と０．５ｍｍ以上０．６ｍｍ以下の継ぎ目からなるミシン目を採用したから、中綴じ冊子は、意図せず分離し難いし、ミシン目に沿って正確かつ容易に分離される。また、かかるミシン目は目立たず、読書の妨げにもならない。
【００１２】
第２の考案の中綴じ冊子は、ミシン目で区画される各部分に相互関連する記事が掲載された情報量の多い中綴じ冊子であり、分離後には必要な記事のみが掲載されコンパクトで携行に適した小冊子となる。従来であれば、斯様な中綴じ冊子及び小冊子の両者を製造する必要があったものを、１冊の中綴じ冊子として提供できるから、製造コストも低減される。
【００１３】
中綴じ冊子の例として、ミシン目で上下２冊に分離可能とされ、全ページを通して、２つの観光地の記事をそれぞれ上部及び下部に掲載したガイドブックが挙げられる。かかるガイドブックは、分離前には通常のガイドブックとして読むことができ、前記観光地の情報を集め、旅行の計画を立てるのに適する。前記観光地の少なくとも一方を旅行する時には、前記ガイドブックを上下分離したコンパクトな小冊子を衣服のポケットやバッグ等に入れて持ち運べるから、移動に便利である。近隣の観光地や友好都市に所在する複数の団体が、それら観光地又は都市を紹介するガイドブックを上梓する場合には、取材や出版に要するコストを分担してそれぞれの負担を軽減することができる。
【００１４】
また、例えば、資格試験の受験参考書，学習参考書等の参考書に本考案を適用し、各ページをミシン目で２つに区画した一方に本文を掲載すると共に、他方にその要点を掲載することができる。かかる参考書は、分離前には通常の参考書として利用でき、一旦学習を終えた後には、分離した要点部分のみを携行して電車，バス等の車中で復習に用いることができる。
【００１５】
更に他の例として、各ページをミシン目で２つに区画し、その一方に問題文、他方に解答をそれぞれ掲載した解答付き問題集が挙げられる。かかる解答付き問題集は、所望により問題集と解答集とに分離され、例えば、生徒と教師がそれぞれ問題集と解答集を保有することができる。
【００１６】
第３の考案の中綴じ冊子は、より背が低くコンパクトな３冊以上の小冊子に分離されるから、より携行に有利である。また、ミシン目で区画される各部に相互関連する記事を掲載することにより、より情報量の多い中綴じ冊子となる。
【００１７】
かかる中綴じ冊子として、互いに平行な３本のミシン目で区画される各部に、全ページを通して季節ごとの記事を掲載したガイドブックが例示される。かかるガイドブックは、分離前には四季の情報を比較しつつ旅行の計画を立てるのに適し、ガイドブック記載の地域を旅行する際には、その季節に適した記事のみが掲載された小冊子を分離して携行することができる。
【００１８】
ミシン目のピッチは紙葉の厚さに対して適切なものとし、薄い紙葉には相対的に高強度の分離し難いミシン目を設け、厚い紙葉には相対的に低強度の分離し易いミシン目を設けることが好ましい。第４又は第５の考案の中綴じ冊子は、意図しない分離をより確実に回避でき、より正確かつ容易に分離可能な中綴じ冊子である。
【図面の簡単な説明】
【００１９】
【図１】本考案の中綴じ冊子を示す斜視図である。
【図２】中綴じ冊子をミシン目で分離した状態を示す斜視図である。
【図３】本考案の中綴じ冊子を示す平面図である。
【図４】本考案の別の実施形態の中綴じ冊子を示す斜視図である。
【考案を実施するための形態】
【００２０】
以下に、本考案を実施するための形態を、図面を参照して詳細に説明するが、本考案はこれに限定されるものではない。
【００２１】
本考案の中綴じ冊子１０は、図１に示される様に、ノド１２に対して対称で且つ一方の小口１３から他方の小口１３に至るミシン目１４を略同一位置に有する複数の紙葉１１が、前記ノド１２の前記ミシン目１４で区画された各部分で綴じられた中綴じ冊子である。前記ミシン目１４は、２ｍｍ以上３ｍｍ以下の切り目と０．５ｍｍ以上０．６ｍｍ以下の継ぎ目とからなる。尚、図中、ノド１２を一点鎖線で、ミシン目１４を二点鎖線で示す。
【００２２】
中綴じ冊子１０を構成する紙葉１１の種類は特に限定されないが、光沢紙，マット紙その他の洋紙が好適に用いられる。紙葉１１の厚みは特に限定されないが、通常、６４ｇ／ｍ２以上２０９．３ｇ／ｍ２以下とされる。各紙葉１１は、互いに同一のサイズを有する矩形の紙葉であり、相互に重ねられると共に、中央のノド１２でそれぞれ二つ折りされる。１冊の中綴じ冊子１０を構成する紙葉１１の枚数は、２枚以上であれば特に限定されない。
【００２３】
ミシン目１４は、ノド１２に対して対称で両小口１３を連通するものであれば良く、その位置やノド１２に対する角度は特に限定されない。図１に示される中綴じ冊子１０は、ノド１２に対して垂直な１本のミシン目１４で２冊の小冊子２０に分離可能であるが（図２参照）、ミシン目１４は、必ずしもノド１２と垂直に設けられることに限られない。また、ミシン目１４は、各紙葉１１に１本ずつ設けられることに限られず、２本以上設けられていても良い。２本以上のミシン目１４を設ける場合には、図４に例示される様に、当該ミシン目１４同士が相互に交わらない様にする。
【００２４】
ミシン目１４は、適切な強度を達成するため、２ｍｍ以上３ｍｍ以下の切り目と０．５ｍｍ以上０．６ｍｍ以下の継ぎ目とからなる。切り目が２ｍｍ未満であり、又は、継ぎ目が０．６ｍｍを超える場合、ミシン目１４の強度が高過ぎるため中綴じ冊子１０は容易に分離されず、無理に分離しようと力を加えるとミシン目１４以外の部分が破断する虞がある。一方、切り目が３ｍｍを超え、又は、継ぎ目が０．５ｍｍ未満である場合、ミシン目１４の強度が低過ぎるため、中綴じ冊子１０が意図せず分離してしまう虞がある。この場合、ミシン目１４が目立つため、該ミシン目１４が読書の妨げとなる虞もある。
【００２５】
ミシン目１４の強度をより適切なものとするため、ミシン目１４の切り目及び継ぎ目は、紙葉１１の厚さに適した長さとされることが好ましい。例えば、６４ｇ／ｍ２以上１２７．９ｇ／ｍ２以下の紙葉１１に対しては、通常、切り目を２ｍｍとすると共に、継ぎ目を０．６ｍｍとする。また、例えば、１５７ｇ／ｍ２以上２０９．３ｇ／ｍ２以下の紙葉１１に対しては、通常、切り目を３ｍｍとすると共に、継ぎ目を０．５ｍｍとする。
【００２６】
各紙葉１１のミシン目１４で区画された各部分は中綴じされており、それによって、中綴じ冊子１０が構成されている。前記各部分がそれぞれ綴じられているから、中綴じ冊子１０をミシン目１４で分離すると、何れも中綴じされた小冊子２０が得られる。図１乃至図４においてはステープル１５で中綴じされるものとして示すが、ミシン目１４で区画された各部分が個別に綴じられていれば各紙葉１１を綴じる手段は特に限定されず、例えば、無線綴じや糸綴じであっても良い。
【００２７】
各紙葉１１の両面には文字１６，写真１７，イラスト１８，地図１９その他の記事が印刷され、それらの記事は、中綴じ冊子１０をミシン目１４で分離してもそれぞれ独立した小冊子２０として利用可能な様にレイアウトされる。各紙葉には、ミシン目１４を境として、相互に関連した記事が掲載される。
【００２８】
以下、実施例を示すが、本考案はこれに限定されるものではない。
【実施例】
【００２９】
図１乃至図３に例示される中綴じ冊子１０は、ノド１２に対して対称で且つ一方の小口１３から他方の小口１３に至るミシン目１４を略同一位置に有する複数の紙葉１１が、前記ノド１２の前記ミシン目１４で区画された各部分で綴じられた中綴じ冊子である。前記ミシン目１４は、２ｍｍ以上３ｍｍ以下の切り目と０．５ｍｍ以上０．６ｍｍ以下の継ぎ目とからなる。
【００３０】
当該中綴じ冊子１０は、Ａ４サイズ１６ページのガイドブックであって、８枚のＡ３サイズの紙葉１１を有する。当該中綴じ冊子１０には、図３に例示される様に、上下略中央に設けられたミシン目１４を境として、上部には霧島、下部には指宿の記事がそれぞれ掲載されている。前記記事は文字１６，写真１７，イラスト１８，及び地図１９を含み、該地図１９は、ミシン目１４を境にそれぞれの地域の地図に分離可能である。したがって、中綴じ冊子１０を分離しない状態では両地域の記事を対比しつつ読むことができ、中綴じ冊子１０を分離すると、霧島及び指宿の何れか一方の記事のみが掲載された、コンパクトで携行に便利な２冊の小冊子２０となる。
【００３１】
上記ガイドブックの作製手順は、以下の通りであった。まず、ミシン目１４で分離されることを想定して記事のレイアウトを決定し、各ページの記事を印刷した。印刷にはＡ全判のマット紙（厚さ：８１．４ｇ／ｍ２）を用い、周囲に仕上げしろを設けた。その後、記事が印刷されたマット紙を、カット：２ｍｍ，ブランク：０．６ｍｍのミシン刃を用い、ミシン機（Horizon PERFORATOR VP-66）でミシン目加工した。次いで、ミシン目加工されたマット紙を、紙折り機（HEIDELBERG Stahl folder）で８ページ折りし、折り丁を得た。該折り丁を１６ページ丁合し、ステープル１５で中綴じ製本し、更に仕上げ裁断して中綴じ冊子１０を得た。丁合，中綴じ製本，及び仕上げ裁断の各工程には、中綴じライン（有限会社三光，１００型）を利用した。
【符号の説明】
【００３２】
１０  中綴じ冊子
１１  紙葉
１２  ノド
１３  小口
１４  ミシン目
１５  ステープル
１６  文字
１７  写真
１８  イラスト
１９  地図
２０  小冊子
【図１】
0003172860.tif 000003
【図２】
0003172860.tif 000004
【図３】
0003172860.tif 000005
【図４】
0003172860.tif 000006